【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
ソースノードにおいてネットワーク内のトレースルート・プローブによって得られるデータを受信するステップであって、前記データは少なくとも一つのネットワークノードに関する情報を含むステップと、
情報に基づいて前記少なくとも一つのネットワークノードの識別子を決定するステップと、
前記少なくとも一つのネットワークノードの前記識別子を用いて、少なくとも一つのデバイスの識別子を決定するステップと、
ネットワークトポロジー完成率に基づき、前記ネットワークのネットワークトポロジーを推測するステップと
を含み、
前記ネットワークトポロジー完成率は、前記ネットワーク内で検出される他と異なるエッジの数を示す値に基づくこと
を特徴とする方法。
【請求項２】
マルチパスルートにある前記少なくとも一つのネットワークノードのうちの第１のネットワークノードの識別子を受信するステップと、
前記マルチパスルートにある前記少なくとも一つのネットワークノードのうちの第２のネットワークノードの識別子を受信するステップと、
前記第１のネットワークノードの前記識別子の情報および前記第２のネットワークノードの前記識別子の情報に基づいてエッジの識別子を決定するステップと
を含む、請求項１に記載の方法。
【請求項３】
前記少なくとも一つのネットワークノードの前記識別子は、公開、非公開または取得不能なノードの識別子のうちの少なくとも一つであること
を特徴とする請求項１に記載の方法。
【請求項４】
前記少なくとも一つのネットワークノードが、前記少なくとも一つのデバイスの一つに複数存在すること
を特徴とする請求項１に記載の方法。
【請求項５】
前記少なくとも一つのネットワークノードに先行する第１のネットワークノードの識別子、および、前記少なくとも一つのネットワークノードに続く第２のネットワークノードの識別子に基づいて、前記少なくとも一つのネットワークノードの前記識別子を決定するステップをさらに含むこと
を特徴とする請求項１に記載の方法。
【請求項６】
前記第１のネットワークノードと前記第２のネットワークノードとの間にある前記少なくとも一つのネットワークノードの位置に基づいて、前記少なくとも一つのネットワークノードの前記識別子を決定するステップ
をさらに含むことを特徴とする請求項４に記載の方法。
【請求項７】
前記第１のネットワークノードの第１のプレフィックスと前記第２のネットワークノードの第２のプレフィックスを用いて、前記少なくとも一つのネットワークノードの前記識別子を決定すること
を特徴とする請求項５に記載の方法。
【請求項８】
ネットワーク管理システムから得られる情報を用いて、前記少なくとも一つのネットワークノードまたは前記少なくとも一つのデバイスの前記識別子のうち少なくとも一つを決定するステップをさらに含むこと
を特徴とする請求項１に記載の方法。
【請求項９】
前記少なくとも一つのネットワークノードおよび前記少なくとも一つのデバイスの前記識別子は、インターネットプロトコル（ＩＰ）アドレスを用いて定義され、かつ前記ネットワーク管理システムは、前記少なくとも一つのネットワークノードおよび前記少なくとも一つのデバイスの前記ＩＰアドレスのリストまたは配列を含むこと
を特徴とする請求項６に記載の方法。
【請求項１０】
前記ソースノードにおいて前記トレースルート・プローブによって前記受信されたデータは、前記少なくとも一つのネットワークノードまたは前記少なくとも一つのデバイスのうちの少なくとも一方のイングレスインタフェースのイングレス識別子を含むこと
を特徴とする請求項１に記載の方法。
【請求項１１】
前記イングレス識別子を使用して、前記少なくとも一つのネットワークノードまたは前記少なくとも一つのデバイスのうちのもう一方のエグレスインタフェースのエグレス識別子を決定すること
を特徴とする請求項１０に記載の方法。
【請求項１２】
前記イングレス識別子の一つを使用して、複数の前記エグレス識別子を決定すること
を特徴とする請求項１１に記載の方法。
【請求項１３】
前記エグレス識別子は、ネットワーク管理システムを使用して決定されること
を特徴とする請求項１１に記載の方法。
【請求項１４】
前記エグレス識別子は、前記エグレス識別子と前記イングレス識別子との類似度に基づいて決定されること
を特徴とする請求項１１に記載の方法。
【請求項１５】
前記少なくとも一つのネットワークノードの前記識別子は、ＩＰアドレスまたはドメインネームサーバのリストの中の少なくとも一つであること
を特徴とする請求項１に記載の方法。
【請求項１６】
コンピュータプログラムコードを含む少なくとも一つのメモリと、
少なくとも一つのプロセッサを含む装置であって、
前記少なくとも一つのメモリおよび前記コンピュータプログラムコードは、前記少なくとも一つのプロセッサを用いて、前記装置に、少なくとも、
ソースノードにおいてネットワーク内のトレースルート・プローブによって得られるデータを受信させるステップであって、前記データは少なくとも一つのネットワークノードに関する情報を含むステップと、
情報に基づいて前記少なくとも一つのネットワークノードの識別子を決定させるステップと、
前記少なくとも一つのネットワークノードの前記識別子を使用して、少なくとも一つのデバイスの識別子を決定するステップと、
ネットワークトポロジー完成率に基づき、前記ネットワークのネットワークトポロジーを推測するステップと
を実行させ、
前記ネットワークトポロジー完成率は、前記ネットワーク内で検出される他と異なるエッジの数を示す値に基づくこと
を特徴とする装置。
【請求項１７】
前記少なくとも一つのメモリおよび前記コンピュータプログラムコードは同様に、前記少なくとも一つのプロセッサを用いて、前記装置に、少なくとも、
マルチパスルート内の前記少なくとも一つのネットワークノードの第１のネットワークノードの識別子を受信するステップと、
前記マルチパスルート内の前記少なくとも一つのネットワークノードの第２のネットワークノードの識別子を受信するステップと、
前記第１のネットワークノードの前記識別子の情報および前記第２のネットワークノードの前記識別子の情報に基づいて、エッジの識別子を決定するステップを実行させること
を特徴とする請求項１６に記載の装置。
【請求項１８】
前記少なくとも一つのネットワークノードの前記識別子は、公開、非公開または取得不能なノードの識別子のうちの少なくとも一つであること
を特徴とする請求項１６に記載の装置。
【請求項１９】
前記少なくとも一つのネットワークノードが前記少なくとも一つのデバイスのうちの一つに存在すること
を特徴とする請求項１６に記載の装置。
【請求項２０】
前記少なくとも一つのメモリおよび前記コンピュータプログラムコードは同様に、前記少なくとも一つのプロセッサを用いて、前記装置に、少なくとも、
前記少なくとも一つのネットワークノードに先行する第１のネットワークノードの識別子、および前記少なくとも一つのネットワークノードに続く第２のネットワークノードの識別子に基づいて、前記少なくとも一つのネットワークノードの前記識別子を決定するステップを実行させること
を特徴とする請求項１６に記載の装置。
【請求項２１】
前記少なくとも一つのメモリおよび前記コンピュータプログラムコードは同様に、前記少なくとも一つのプロセッサを用いて、前記装置に、少なくとも、
前記第１のネットワークノードと前記第２のネットワークノードとの間にある前記少なくとも一つのネットワークノードの位置に基づいて、前記少なくとも一つのネットワークノードの前記識別子を決定するステップを実行させること
を特徴とする請求項２０に記載の装置。
【請求項２２】
前記第１のネットワークノードの第１のプレフィックスおよび前記第２のネットワークノードの第２のプレフィックスを用いて、前記少なくとも一つのネットワークノードの前記識別子を決定するステップを実行させること
を特徴とする請求項２０に記載の装置。
【請求項２３】
前記少なくとも一つのメモリおよび前記コンピュータプログラムコードは同様に、前記少なくとも一つのプロセッサを用いて、前記装置に、少なくとも、
ネットワーク管理システムから得られる情報を用いて、前記少なくとも一つのネットワークノードまたは前記少なくとも一つのデバイスの前記識別子のうちの少なくとも一方を決定させるように構成されること
を特徴とする請求項１６に記載の装置。
【請求項２４】
前記少なくとも一つのネットワークノードおよび前記少なくとも一つのデバイスの前記識別子は、ＩＰアドレスを用いて定義され、かつ、前記ネットワーク管理システムは、前記少なくとも一つのネットワークノードおよび前記少なくとも一つのデバイスの前記ＩＰアドレスのリストまたは配列を含むこと
を特徴とする請求項２３に記載の装置。
【請求項２５】
前記トレースルート・プローブによって前記ソースノードで受信されたデータは、前記少なくとも一つのネットワークノードまたは前記少なくとも一つのデバイスのうちの少なくとも一方のイングレスインタフェースのイングレス識別子を含むこと
を特徴とする請求項１６に記載の装置。
【請求項２６】
前記少なくとも一つのメモリおよび前記コンピュータプログラムコードは同様に、前記少なくとも一つのプロセッサを用いて、前記装置に、少なくとも、
前記イングレス識別子情報を用いて、前記少なくとも一つのネットワークノードまたは前記少なくとも一つのデバイスのうちのもう一方のエグレス識別子を決定するステップを実行させること
を特徴とする請求項２５に記載の装置。
【請求項２７】
前記イングレス識別子を一つ使用して、複数の前記エグレス識別子を決定すること
を特徴とする請求項２６に記載の装置。
【請求項２８】
前記エグレス識別子は、ネットワーク管理システムを使用して決定されること
を特徴とする請求項２６に記載の方法。
【請求項２９】
前記エグレス識別子は、前記エグレス識別子と前記イングレス識別子との類似度に基づいて決定されること
を特徴とする請求項２６に記載の装置。
【請求項３０】
前記少なくとも一つのノードの前記識別子は、ＩＰアドレスまたはドメインネームサーバ・リストのうちの少なくとも一つであること
を特徴とする請求項１６に記載の装置。
【請求項３１】
命令が符号化された非一時的コンピュータ可読媒体であって、前記命令はハードウェアで実行されるとき、プロセスを実行し、前記プロセスは、
ソースノードにおいてネットワーク内のトレースルート・プローブによって得られるデータを受信するステップであって、前記データは、少なくとも一つのネットワークノードに関する情報を含むステップと、
情報に基づいて前記少なくとも一つのネットワークノードの識別子を決定するステップと、
前記少なくとも一つのネットワークノードの前記識別子を使用して、少なくとも一つのデバイスの識別子を決定するステップと、
ネットワークトポロジー完成率に基づき、前記ネットワークのネットワークトポロジーを推測するステップと
を含み、
前記ネットワークトポロジー完成率は、前記ネットワーク内で検出される他と異なるエッジの数を示す値に基づくこと
を特徴とする非一時的コンピュータ可読媒体。